(57)【特許請求の範囲】
【請求項１】
電線の端部を絶縁状態で覆う絶縁性電線端末キャップであって、
前記端部の外周面に雄ネジを形成するダイス部と、
前記ダイス部が形成した雄ネジに螺合する雌ネジ部と、
前記ダイス部に相対的移動不能に形成された連結部と、
前記端部の雄ネジが前記雌ネジ部に螺合されたときの前記端部を覆う底部と、を備え、
前記ダイス部の回転軸線と前記雌ネジ部の軸線と前記連結部の軸線とが同一直線上に、かつ、前記ダイス部と前記雌ネジ部とは前記雄ネジに螺合することができるように、前記ダイス部と前記雌ネジ部とを一体的に形成している、絶縁性電線端末キャップ。
【請求項２】
前記連結部は六角柱の形状を有する請求項１に記載の絶縁性電線端末キャップ。
【発明の詳細な説明】
【技術分野】
【０００１】
本発明は、絶縁電線端末キャップに関する。
【背景技術】
【０００２】
従来、図９に示すように、絶縁電線端末キャップ１００は、複数種類の内径Ｄａ、Ｄｂ、Ｄｃ、Ｄｄで形成されている円筒内周側面１０１ａ、１０１ｂ、１０１ｃ、１０１ｄを備える。円筒内周側面１０１ａ、１０１ｂ、１０１ｃ、１０１ｄのいずれの中心線も、中心線Ｃと同一になるように、一体的に形成されている。したがって、円筒内周側面１０１ａ、１０１ｂ、１０１ｃ、１０１ｄは、中心線Ｃが伸びる方向から見ると、同心円状に配置されている。
【０００３】
隣接する各円筒内周側面１０１ａ、１０１ｂ、１０１ｃ、１０１ｄの間には、同心円のリング状の底面１０２ａ、１０２ｂ、１０２ｃ、１０２ｄが形成されている。円筒内周側面１０１ａ、１０１ｂ、１０１ｃ、１０１ｄは、それぞれ、中心線Ｃに平行な方向に伸びる凸状部１０４ａ、１０４ｂ、１０４ｃ、１０４ｄを有する。内径Ｄａ、Ｄｂ、Ｄｃ、Ｄｄは、大径から小径までの複数種類の電線３００の端部（図１０参照）を挿入することができるように、図の左から右に位置する程、小径となっている。
【０００４】
図１０に示すように、作業者は、絶縁電線端末キャップ１００を電線３００の端部に取り付けると、絶縁電線端末キャップ１００は、内径Ｄｃとほぼ同一の外径Ｄを有する電線３００の端部を覆う。このとき、電線３００の端面３０１は絶縁電線端末キャップ１００の底面１０２ｃに当接している。
【０００５】
作業者は、絶縁電線端末キャップ１００が電線３００からはずれないように、粘着性ポリエチレンテープ２００で絶縁電線端末キャップ１００と電線３００とを一緒に巻く。
【０００６】
また、図示しないが、キャップの内部に、配電線の端末を挿入係止する係止体を設けた絶縁電線端末キャップが知られている（特許文献１参照）。
【０００７】
これらの絶縁電線端末キャップは、いずれも、電線の端部を円筒内周面に差し込む必要があることから、電線の端部と円筒内周面との間に摩擦が生じる。円筒内周面の内径は、この摩擦によって電線の端部を円筒内周面によって形成される挿入穴に挿入することを容易に行えるように、電線の端部の外径より若干大きくされている。
【特許文献１】特開平９−２３３６６６号公報
【発明の開示】
【発明が解決しようとする課題】
【０００８】
電線の端部を絶縁電線端末キャップで覆う作業は、電線が活性状態において、図２に示すような高所作業車（昇降装置により上昇及び下降する作業床がある車）４００の作業床に乗った作業者が絶縁ヤットコ４１０を用いて行われる。したがって、作業者は、作業性の悪い場所で絶縁ヤットコ４１０という作業性の悪い工具を用いて、電線の端部と絶縁電線端末キャップとを粘着性ポリエチレンテープで巻く作業が煩雑になり、その巻く作業を行うために多くの時間を要する。
【０００９】
また、電線の端部と絶縁電線端末キャップとの間には、隙間ｅ（図１０参照）が形成され、雨水を溜める原因になり、粘着性ポリエチレンテープの劣化が早い。
【００１０】
絶縁電線端末キャップは、これを中心線Ｃから見ると、リング状の底面１０２を有しているので、電線の端部は、入り口近傍のリング状の底面（例えば、底面１０２ａ）に当接して、本来、当接させなければならない底面１０２ｃに当接することが容易にできない。
【００１１】
本発明は、上記問題を解決するために、作業性のよい絶縁電線端末キャップを提供することを目的とする。
【課題を解決するための手段】
【００１２】
本発明者らは、上記目的を達成するために、以下の発明を完成するに至った。
【００１３】
本発明に係る第１の絶縁電線端末キャップは、それぞれが互いに異なる直径の複数の電線の端末を絶縁状態で覆うため、それぞれが各電線の直径に応じた内径の複数の筒状内周側面を有する絶縁性の複数の囲繞部材であってそれぞれが各筒状内周側面の中心軸の伸びる方向において前記筒状内周側面から各囲繞部材の外側に繋がる一対の接触面が形成された分割部を有する複数の囲繞部材と、前記筒状内周側面の軸線方向が互いに平行になるように、かつ、前記筒状内周側面の一部が直線上に位置するように、前記囲繞部材のうちの一の囲繞部材及びこれに隣接する他の囲繞部材を前記軸線方向に所定の寸法だけずらした位置に保持する保持部材と、前記一対の接触面を接触させた状態に維持する接触状態保持部材と、を備える。前記囲繞部材の前記一対の接触面とこれに隣接する接触面とは所定の平面上に形成されている。
【００１４】
前記接触状態保持部材は、ファスナーであってもよい。
【００１５】
各筒状内周側面の内径は、各電線の外径と実質的に同一であってもよい。ここで、実質的に同一とは、筒状内周側面に電線を配置させたとき、囲繞部材の弾性変形により、囲繞部材は筒状内周側面の円周方向に伸び、その結果、一対の接触面が互いに接触することができる範囲内にあることをいう。
【００１６】
本発明に係る第２の絶縁電線端末キャップは、電線の端部を絶縁状態で覆うため、前記端部の外周面に雄ネジを形成するダイス部と、前記ダイス部が形成した雄ネジに螺合する雌ネジ部と、前記ダイス部に相対的移動不能に形成された連結部と、前記端部の雄ネジが前記雌ネジ部に螺合されたときの前記端部を覆う底部と、を備える。前記ダイス部の回転軸線と前記雌ネジ部の軸線と前記連結部の軸線とが同一直線上に、かつ、前記ダイス部と前記雌ネジ部とは前記雄ネジに螺合することができるように、前記ダイス部と前記雌ネジ部とを一体的に形成している。
【００１７】
前記連結部は六角柱の形状を有してもよい。
【発明の効果】
【００１８】
本発明によれば、第１の絶縁電線端末キャップは、囲繞部材の側面に形成されている分割部から電線の端部を挿入することができる。すなわち、筒状内周側面の軸線方向に対して直角の方向に電線の端部を挿入させることができる。このため、隣接する２つの筒状内周側面に段差が生じていても、作業者は、挿入作業において、電線の端部がその段差に引っかけてしまうことが殆どない。
【００１９】
第１の絶縁電線端末キャップは、接触状態保持部材をファスナーで構成することにより、作業者は、分割部の接合を絶縁ヤットコのような工具を用いて、スムーズに行うことができる。
【００２０】
第２の絶縁電線端末キャップは、ダイス部の中心線と雌ネジ部の中心線とが同一直線上に、かつ、ダイス部と雌ネジ部とは同じ雄ネジに螺合することができるように、ダイス部と雌ネジ部とを一体的に形成されているので、電線の端部の外周面に雄ネジを形成しながら、形成された雄ネジを雌ネジ部に螺合させることができる。
【発明を実施するための最良の形態】
【００２１】
以下、本発明の実施形態について添付した図面を参照しながら、説明する。
【００２２】
図１に示すように、絶縁電線端末キャップ１０は、それぞれが互いに異なる内径Ｄａ、Ｄｂ、Ｄｃ、Ｄｄを有する複数の電線の端末を絶縁状態で覆う。
【００２３】
絶縁電線端末キャップ１０は、複数の囲繞部材２０（２０ａ、２０ｂ、２０ｃ、２０ｄ）と、囲繞部材２０ａ、２０ｂ、２０ｃ、２０ｄを保持する保持部材５０と、ファスナー４０とを備える。ファスナー４０は、接触状態保持部材として作用する。
【００２４】
囲繞部材２０ａ、２０ｂ、２０ｃ、２０ｄは、それぞれ、電線の直径に応じた内径Ｄａ、Ｄｂ、Ｄｃ、Ｄｄの筒状内周側面２１ａ、２１ｂ、２１ｃ、２１ｄを有する。
【００２５】
囲繞部材２０ａ、２０ｂ、２０ｃ、２０ｄは、いずれも、公知の絶縁性の弾性材料で形成されている。
【００２６】
囲繞部材２０ａ、２０ｂ、２０ｃ、２０ｄは、それぞれ、筒状内周側面２１（２１ａ、２１ｂ、２１ｃ、２１ｄ）の中心線の伸びる方向において筒状内周側面２１ａ、２１ｂ、２１ｃ、２１ｄから囲繞部材２０ａ、２０ｂ、２０ｃ、２０ｄの外側に繋がる一対の接触面３１、３２が形成されている。一対の接触面３１，３２は分割部として作用する。
【００２７】
したがって、囲繞部材２０ａ、２０ｂ、２０ｃ、２０ｄは中心線方向に直角方向の断面図（図１（ａ））において、Ｃ字形状を有する。そして、囲繞部材２０ａ、２０ｂ、２０ｃ、２０ｄは、電線の外径と同じ距離だけ接触面３１、３２が互いに離れるように、弾性変形することができる。
【００２８】
筒状内周側面２１の内径Ｄａ、Ｄｂ、Ｄｃ、Ｄｄは、電線３００の外径と実質的に同一にされている。具体的には、筒状内周側面２１の内径Ｄａ、Ｄｂ、Ｄｃ、Ｄｄは、筒状内周側面２１に電線３００を配置させたとき、囲繞部材２０の弾性変形により、囲繞部材２０は筒状内周側面２１の円周方向に伸び、その結果、一対の接触面３１、３２が互いに接触することができる範囲内にある。
【００２９】
保持部材５０は、筒状内周側面２１ａ、２１ｂ、２１ｃ、２１ｄの軸線方向が互いに平行になるように、筒状内周側面２１ａ、２１ｂ、２１ｃ、２１ｄを保持する。
【００３０】
保持部材５０は、筒状内周側面２１ａ、２１ｂ、２１ｃ、２１ｄのうち、接触面３１、３２に接続する部分が直線上に位置するように、筒状内周側面２１ａ、２１ｂ、２１ｃ、２１ｄを保持する。
【００３１】
したがって、保持部材５０は、囲繞部材のうちの一の囲繞部材及びこれに隣接する他の囲繞部材を軸線方向に所定の寸法だけずらした位置に保持している。
【００３２】
ファスナー４０は、公知のファスナーであり、具体的には、保持部材５０に形成された互いに嵌合する凸部３３及び凹部３４と、接触面３１、３２の近傍から延在するひだ部２３に形成された凸部３３及び凹部３４を嵌合させたりその嵌合を解いたりさせるスライダ４２とを備える。
【００３３】
スライダ４２は、一対のひだ部２３と摺動する切欠き部４１を有する。したがって、スライダ４２は、これが筒状内周側面２１の中心線の延びる方向と平行方向Ｘに摺動することにより接触面３１、３２を接触させた状態に維持することができる。
【００３４】
したがって、囲繞部材２０のうちの１つの囲繞部材の一対の接触面３１、３２とこれに隣接する接触面３１、３２とは所定の同一平面上に形成されている。
【００３５】
以上の絶縁電線端末キャップ１０は、以下のようにして電線３００の端部に取り付けられる。
【００３６】
図２に示すように、先ず、作業者は、電柱４０１の近傍に高所作業車４００を設置させる。作業者は、高所作業車４００の作業床に乗り込み、高所作業車４００の昇降装置を作動させ、高所作業車４００の作業床を上昇させ、電線３００の端部の近傍に移動する。電線３００は、電柱４０１から３０ｃｍ〜４０ｃｍの範囲で切断される。
【００３７】
次に、図３に示すように、作業者は、絶縁電線端末キャップ１０及び電線３００の端部を、絶縁ヤットコ４１０を介して保持する。
【００３８】
このとき、作業者は、一対の接触面３１，３２が互いに離れるように、接触面３２が形成されているひだ部２３を絶縁ヤットコ４１０でつまむ。
【００３９】
次に、作業者は、一対の接触面３１、３２から電線３００の端部を挿入させる。これにより、図３に示すように、電線３００の端部が筒状内周側面２１に嵌合し、電線３００の端面３０１を底面２２によって覆われる。
【００４０】
次に、図４に示すように、作業者は、スライダ４２を絶縁ヤットコ４１０でつまみ、矢印の方向にスライドさせる。そうして、図５に示すように、一対の接触面３１、３２を接触させ、その状態を維持させる。
【００４１】
さらに、接触面３１、３２を公知の溶着技術により溶着させ一体的な形状に変形させてもよい。
【００４２】
このように、絶縁電線端末キャップ１０は、囲繞部材２０の側面に形成されている接触面３１、３２から電線３００の端部を挿入することができる。換言すると、筒状内周側面２１の軸線方向に対して直角の方向に電線３００の端部を挿入させることができる。このため、隣接する２つの筒状内周側面に段差を構成する底面２２が形成されていても、作業者は、電線３００の挿入作業において、電線３００の端部がその段差に引っかけてしまうことが殆どなく、絶縁電線端末キャップ１０の取り付け作業をスムーズに行うことができる。
【００４３】
また、接触状態保持部材をファスナー４０で構成することにより、作業者は、接触面３１、３２ひいては凸部３３及び凹部３４の接合を絶縁ヤットコ４１０のような工具を用いても、スムーズに行うことができる。
【００４４】
図６に示すように、絶縁電線端末キャップ６０は、電線３００の端部を絶縁状態で覆う。絶縁電線端末キャップ６０は、電線３００の端部の外周面に雄ネジを形成するダイス部６５と、ダイス部６５が形成した雄ネジに螺合する雌ネジ部６６と、ダイス部６５に相対的移動不能に形成された連結部６４と、電線３００の端部の雄ネジが雌ネジ部６６に螺合されたときの電線３００の端部を覆う底部６３とを備える。ダイス部６５は、精密なネジを形成することができるリーマと同様の作用を奏する。
【００４５】
ダイス部６５と雌ネジ部６６とは円柱形状を有する嵌合部６１に形成されている。具体的には、嵌合部６１の一方の端面６２には、ダイス部６５が形成されている。さらに、ダイス部６５が形成した雄ネジに螺合することができる雌ネジ部６６が、ダイス部６５に続いて形成されている。
【００４６】
これにより、絶縁電線端末キャップ６０は、ダイス部６５の中心線と雌ネジ部６６の中心線とが同一直線上に位置するようにダイス部６５と雌ネジ部６６とを一体的に形成している。その結果、ダイス部６５と雌ネジ部６６とは同じ雄ネジに螺合することができるようになるので、絶縁電線端末キャップ６０は、電線３００の端部の外周面に雄ネジを形成しながら、形成された雄ネジを雌ネジ部６６に螺合させることができる。
【００４７】
連結部６４は六角柱の形状を有する。
【００４８】
以上の絶縁電線端末キャップ６０は、以下のようにして用いられる。
【００４９】
図７に示すように、作業者は、絶縁状態を維持したまま、六角穴ソケット４２４を一方の方向に回転させるラチェット機構４２２を備えた絶縁ラチェット４２０を用いて、絶縁電線端末キャップ６０を電線３００の端部に取り付ける。
【００５０】
絶縁ラチェット４２０は、アーム部４２６の先端に回転軸４２１を有する。回転軸４２１の先端には、クランク部４２５の一端が回転可能に取り付けられている。クランク部４２５の他端には、相対的回転不能に組み付けられたラチェット機構４２２が取り付けられている。したがって、作業者は、アーム部４２６の先端が円を描くようにアーム部４２６を動かせば、クランク部４２５は、ラチェット機構４２２を中心に回転させることができる。
【００５１】
先ず、作業者は、絶縁ヤットコ４１０を用いて電線３００の端部を把持する。また、絶縁ラチェット４２０の六角穴ソケット４２４に絶縁電線端末キャップ６０の連結部６４に相対的回転不能に嵌合させる。これにより、絶縁電線端末キャップ６０は、ラチェット機構４２２によって、一方の方向にしか自転できない。
【００５２】
次に、作業者は、電線３００の端面３０１を嵌合部６１の一方の端面６２から挿入する。このとき、電線３００の表面に雄ネジが形成されやすいように、予め電線３００の端部を熱しておくとよい。
【００５３】
次に、作業者は、絶縁電線端末キャップ６０が回転中心に位置するように、アーム部４２６を揺動させる。これにより、絶縁電線端末キャップ６０ひいては電線３００を回転中心として、絶縁電線端末キャップ６０が自転する。
【００５４】
絶縁電線端末キャップ６０が自転すると、電線３００の端部の外周面には、ダイス部６５によって、雄ネジが形成される。
【００５５】
さらに、絶縁電線端末キャップ６０を自転させると、電線３００の端部の外周面に形成された雄ネジは、ダイス部６５を雌ネジとして螺合し、絶縁電線端末キャップ６０の底部６３に向かって進んでいく。
【００５６】
さらに、絶縁電線端末キャップ６０を自転させると、電線３００の端部の外周面に形成された雄ネジは、雌ネジ部６６に螺合し、やがて、底部６３に接触する。
【００５７】
これにより、絶縁電線端末キャップ６０は電線３００の端部を覆う。絶縁電線端末キャップ６０と電線３００の端部とは、螺合しているので、水密性が高く、雨等の水により漏電する可能性が殆どなく、また、絶縁電線端末キャップ６０が電線３００の端部から抜け落ちる可能性が殆どない。
【００５８】
絶縁電線端末キャップ６０と電線３００の端部とは、螺合により組み付けられているので、従来技術のようなテープで巻く作業を省略することができる。
【００５９】
以上の説明は、特許請求の範囲を限定するものではない。
【図面の簡単な説明】
【００６０】
【図１】本発明に係る絶縁電線端末キャップを示す図である。（ａ）は左側面図である。（ｂ）は正面図である。
【図２】図１に示した絶縁電線端末キャップの取り付け作業手順を示す図である。
【図３】図２に続く絶縁電線端末キャップの取り付け作業手順を示す図である。
【図４】図３に続く絶縁電線端末キャップの取り付け作業手順を示す図である。
【図５】図４に続く絶縁電線端末キャップの取り付け作業手順を示す図である。
【図６】本発明に係る別の絶縁電線端末キャップを示す図である。（ａ）は左側面図である。（ｂ）は断面図である。（ｃ）は右側面図である。
【図７】図６に示した絶縁電線端末キャップの取り付け作業手順を示す図である。
【図８】図７に続く絶縁電線端末キャップの取り付け作業手順を示す図である。
【図９】従来の絶縁電線端末キャップの一部断面図である。
【図１０】図９に示した絶縁電線端末キャップの取り付け後の断面図である。
【符号の説明】
【００６１】
Ｃ  中心線
Ｄａ〜Ｄｄ  筒状内周側面の内径
１０  絶縁電線端末キャップ
２０（２０ａ〜２０ｄ）  囲繞部材
２１（２１ａ〜２１ｄ）  筒状内周側面
２２  底面
２３  ひだ部
３１、３２  接触面
３３  凸部
３４  凹部
４０  ファスナー
４１  切欠き部
４２  スライダ
５０  保持部材
６０  絶縁電線端末キャップ
６１  嵌合部
６２  端面
６３  底部
６４  連結部
６５  ダイス部
６６  雌ネジ部
１０１ａ〜１０１ｄ  筒状内周側面
１０２（１０２ａ〜１０２ｄ）  底面
１０４ａ〜１０４ｄ  凸状部
２００  粘着性ポリエチレンテープ
３００  電線
３０１  電線の端面
４１０  絶縁ヤットコ
４２０  絶縁ラチェット
【図１】
0004822942.tif 000002
【図２】
0004822942.tif 000003
【図３】
0004822942.tif 000004
【図４】
0004822942.tif 000005
【図５】
0004822942.tif 000006
【図６】
0004822942.tif 000007
【図７】
0004822942.tif 000008
【図８】
0004822942.tif 000009
【図９】
0004822942.tif 000010
【図１０】
0004822942.tif 000011